(57)【要約】【課題】高コストのスイッチ素子を減らして製造コストを低減することができるプラズマディスプレイ装置を提供する。【解決手段】走査電極を含むプラズマディスプレイパネルと、リセット期間中に前記走査電極に立上りパルスを印加するセットアップ駆動部と、前記走査電極に前記立上りパルスが印加される前に第１の立下りランプパルスを印加し、前記走査電極に前記立上りパルスが印加された後に、第２の立下りランプパルスを印加するセットダウン駆動部と、前記リセット期間後のアドレス期間中に前記走査電極に前記立上りパルスの電圧と実質的に同じ電圧を有する走査パルスを印加する走査パルス駆動部と、を備える。【選択図】図５
2006227625.tif 000002
【特許請求の範囲】
【請求項１】
走査電極を含むプラズマディスプレイパネルと、
リセット期間中に前記走査電極に立上りパルスを印加するセットアップ駆動部と、
前記走査電極に前記立上りパルスが印加される前に第１の立下りランプパルスを印加し、前記走査電極に前記立上りパルスが印加された後に、第２の立下りランプパルスを印加するセットダウン駆動部と、
前記リセット期間後のアドレス期間中に前記走査電極に前記立上りパルスの電圧と実質的に同じ電圧を有する走査パルスを印加する走査パルス駆動部と、
を備えるプラズマディスプレイ装置。
【請求項２】
前記第１の立下りランプパルスが始まる基準電圧と第２の立下りランプパルスが始まる基準電圧とは、実質的に同じであることを特徴とする請求項１に記載のプラズマディスプレイ装置。
【請求項３】
前記第１の立下りランプパルスが始まる基準電圧は、維持期間中に前記走査電極に印加される維持パルスの最高電圧と実質的に同じであることを特徴とする請求項１に記載のプラズマディスプレイ装置。
【請求項４】
前記第１の立下りランプパルスと第２の立下りランプパルスの勾配は、実質的に同じであることを特徴とする請求項１に記載のプラズマディスプレイ装置。
【請求項５】
前記立上りパルスは、維持期間中に前記走査電極に印加される維持パルスの最高電圧と略同一の電圧から電圧値が次第に立ち上がることを特徴とする請求項１に記載のプラズマディスプレイ装置。
【請求項６】
前記第２の立下りランプパルスは、維持期間中に前記走査電極に印加される維持パルスの最高電圧と略同一の電圧から電圧値が次第に立ち下がることを特徴とする請求項１に記載のプラズマディスプレイ装置。
【請求項７】
前記立上りパルスの最高電圧値と最低電圧値との電圧差は、前記走査パルスの電圧振幅値以下であることを特徴とする請求項１に記載のプラズマディスプレイ装置。
【請求項８】
前記立上りパルスの最高電圧値と最低電圧値との電圧差は、１００Ｖ以下であることを特徴とする請求項１に記載のプラズマディスプレイ装置。
【請求項９】
前記第２の立下りランプパルスの最低電圧値は、前記走査パルスの最低電圧値と実質的に同じであることを特徴とする請求項１に記載のプラズマディスプレイ装置。
【請求項１０】
走査電極を含むプラズマディスプレイパネルと、
リセット期間中に前記走査電極に基準電圧源から供給される電圧と関連して立上りパルスを印加するセットアップ駆動部と、
前記リセット期間後のアドレス期間中に前記走査電極に前記基準電圧源から供給される電圧と関連して走査パルスを印加する走査パルス駆動部と、
を含むプラズマディスプレイ装置。
【請求項１１】
前記立上りパルスは、維持期間中に前記走査電極に印加される維持パルスの最高電圧値と略同一の電圧から勾配をもって立ち上がることを特徴とする請求項１０に記載のプラズマディスプレイ装置。
【請求項１２】
前記立上りパルスの最高電圧値と最低電圧値との電圧差は、１００Ｖ以下であることを特徴とする請求項１０に記載のプラズマディスプレイ装置。
【請求項１３】
前記走査電極は、前記立上りパルスが印加される前に第１の立下りランプパルスが印加され、前記立上りパルスが印加された後に、前記走査電極に第２の立下りランプパルスが印加されることを特徴とする、請求項１０に記載のプラズマディスプレイ装置。
【請求項１４】
前記第１の立下りランプパルスと第２の立下りランプパルスの勾配は、実質的に同じであることを特徴とする請求項１３に記載のプラズマディスプレイ装置。
【請求項１５】
前記第１の立下りランプパルスが始まる基準電圧は、維持期間中に前記走査電極に印加される維持パルスの最高電圧と実質的に同じであることを特徴とする請求項１３に記載のプラズマディスプレイ装置。
【請求項１６】
前記第１の立下りランプパルスが始まる基準電圧と第２の立下りランプパルスが始まる基準電圧とは、実質的に同じであることを特徴とする請求項１３に記載のプラズマディスプレイ装置。
【請求項１７】
前記第２の立下りランプパルスの最低の電圧値は、アドレス期間中に前記走査電極に印加される走査パルスの最低電圧値と実質的に同じであることを特徴とする請求項１３に記載のプラズマディスプレイ装置。
【請求項１８】
維持パルス基準電圧ノードと、
前記維持パルス基準電圧ノードと接続されたエネルギー回収回路と、
前記エネルギー回収回路の出力端に一端が接続されたブロッキングスイッチと、
走査パルス及びセットアップパルス基準電圧ノードと、
前記走査パルス及びセットアップパルス基準電圧ノードと前記ブロッキングスイッチの他端との間に接続されたセットアップキャパシタと、
前記走査パルス及びセットアップパルス基準電圧ノードと前記ブロッキングスイッチの前記他端との間に直列接続された第１及び第２のセットアップスイッチと、
を含むプラズマディスプレイパネルの駆動装置。
【発明の詳細な説明】
【技術分野】
【０００１】
本発明は、ディスプレイ装置に係り、特に、プラズマディスプレイ装置に関するものである。
【背景技術】
【０００２】
一般に、プラズマディスプレイ装置は、画面が表示されるプラズマディスプレイパネルと、これを駆動するための駆動部と、を備える。
【０００３】
プラズマディスプレイパネルは、前面パネルと背面パネルとの間に形成された隔壁が１つの単位セルをなしており、各セル内にはネオン（Ｎｅ）、ヘリウム（Ｈｅ）またはネオン及びヘリウムの混合気体（Ｎｅ＋Ｈｅ）などの主放電気体と少量のキセノンを含む不活性ガスが充填されている。この種のプラズマディスプレイパネルは、高周波電圧により放電が発生すると、不活性ガスが真空紫外線(Vacuum Ultraviolet rays)を発生させ、隔壁間に形成された蛍光体を発光させて画像を表現する。
【０００４】
図１は、一般的なプラズマディスプレイパネルの構造を示す図である。
【０００５】
図１に示すように、プラズマディスプレイパネルは、画像が表示される表示面としての前面ガラス１０１に走査電極１０２と維持電極１０３が対をなして形成された複数の維持電極対が配列されている前面パネル１００と、背面を形成する背面ガラス１１１上に前記複数の維持電極対と交差する複数のアドレス電極１１３が配列されている背面パネル１１０とが、所定の間隔をあけて結合されてなる。
【０００６】
前面パネル１００は、１つの放電セルで相互放電を起こし且つセルの発光を維持するための走査電極１０２及び維持電極１０３、すなわち透明なＩＴＯ物質よりなる透明電極ａと金属材質よりなるバス電極ｂによって構成される走査電極１０２及び維持電極１０３の対を備える。走査電極１０２及び維持電極１０３は、放電電流を制限し、電極対間を絶縁させる１以上の上部誘電体層１０４によって覆わられる。さらに、上部誘電体層１０４上には、放電条件を容易にするために酸化マグネシウム（ＭｇＯ）を蒸着した保護層１０５が形成される。
【０００７】
背面パネル１１０には、複数の放電空間、すなわち放電セルを形成させるためのストライプ状(stripe type)またはウェル状(well type)の隔壁１１２が平行に配列される。また、アドレス放電を行い真空紫外線を発生させる多数のアドレス電極１１３が隔壁１１２に対して平行に配置される。背面パネル１１０の上面側には、アドレス放電時に画像を表示するための可視光線を放出するＲ，Ｇ，Ｂ蛍光体１１４が塗布される。アドレス電極１１３と蛍光体１１４との間にはアドレス電極１１３を保護するための下部誘電体層１１５が形成される。
【０００８】
このようなプラズマディスプレイパネルにおける画像階調を具現する方法を説明すると、図２のようになる。
【０００９】
図２は、従来のプラズマディスプレイパネルの画像階調を具現する方法を示す図である。
【００１０】
図２に示すように、従来のプラズマディスプレイパネルの画像階調(Gray Level)の表現方法では、１フレームを発光回数の異なる多くのサブフィールドに分け、さらに各サブフィールドを、全セルを初期化するためのリセット期間ＲＰＤと、放電するセルを選択するためのアドレス期間ＡＰＤと、放電回数によって階調を具現する維持期間ＳＰＤとに分ける。例えば、２５６階調で画像を表示しようとする場合、１／６０秒にあたるフレーム期間１６．６７ｍｓは、図２のように８つのサブフィールドＳＦ１〜ＳＦ８に分けられ、さらに８つのサブフィールドＳＦ１〜ＳＦ８のそれぞれは、リセット期間、アドレス期間及び維持期間に分けられる。
【００１１】
各サブフィールドのリセット期間及びアドレス期間は、各サブフィールドごとに同じである。放電するセルを選択するためのアドレス放電は、アドレス電極と走査電極である透明電極間の電圧差によって起こる。維持期間は、各サブフィールドにおいて２ｎ（ただし、ｎ＝０，１，２，３，４，５，６，７）の割合で増加する。このように各サブフィールドで維持期間が変わるので、各サブフィールドの維持期間、すなわち維持放電回数を調節することで画像の階調を表現するようになる。
【００１２】
図３は、従来のプラズマディスプレイパネルを駆動するための走査駆動装置を概略的に示す図である。
【００１３】
図３に示すように、従来のプラズマディスプレイパネルの走査駆動装置は、エネルギー回収回路４０と、ドライブ集積回路５２と、セットアップ供給部４２と、セットダウン供給部４７と、負極性走査電圧供給部４６と、走査基準電圧供給部５０と、セットアップ供給部４２とドライブ集積回路５２との間に接続される第７のスィッチＱ７と、セットアップ供給部４２とエネルギー回収回路４０との間に接続される第６のスィッチＱ６と、を備える。
【００１４】
ドライブ集積回路５２は、走査電極にプッシュプル(push-pull)型に電気的に接続されて駆動波形のパルスを走査電極に印加する。
【００１５】
エネルギー回収回路４０は、走査電極に維持電圧Ｖｓと維持パルスｓｕｓを供給する。
【００１６】
負極性走査電圧供給部４６は、ターンオンされるセルを選択するための書き込み走査電圧−Ｖｙをドライブ集積回路５２を介して走査電極に順次に供給する。
【００１７】
走査基準電圧供給部５０は、基準電圧源Ｖｓcの電圧をドライブ集積回路５２を介して走査電極に供給する
【００１８】
セットアップ供給部４２は、エネルギー回収回路４０から供給された維持電圧Ｖｓとセットアップ電圧源Ｖｓｅｔｕｐの電圧値の和を供給する。具体的には、セットアップ供給部４２は、維持電圧Ｖｓから所定の勾配をもって上がる立上りランプパルスＲａｍｐ−ｕｐをドライブ集積回路５２を介して走査電極に印加する。
【００１９】
セットダウン供給部４７は、エネルギー回収回路４０から供給された維持電圧Ｖｓから所定の勾配をもって下がる立下りランプパルスＲａｍｐ−ｄｏｗｎをドライブ集積回路５２を介して走査電極に印加する。
【００２０】
図４は、図３の従来のプラズマディスプレイパネルの走査駆動装置の駆動方法を説明するための駆動波形を示す図である。
【００２１】
図３を参照して図４の走査駆動装置によって発生した駆動波形を説明すると、先ず、第２キャパシタＣ２にはセットアップ電圧源Ｖｓｅｔｕｐの電圧が充電されており、第５のスィッチＱ５のターンオンタイミングで維持電圧Ｖｓがエネルギー回収回路４０から第１のノード点Ｎ１に供給されると仮定する。
【００２２】
先ず、セットアップ期間ＳＵ中に、第５のスィッチＱ５及び第７のスィッチＱ７がターンオンされる。エネルギー回収回路４０から維持電圧Ｖｓが供給される。エネルギー回収回路４０から供給された維持電圧Ｖｓは、第６のスィッチＱ６の内部ダイオード、第７のスィッチＱ７及びドライブ集積回路５２を経由して、走査電極ラインＹ１〜Ｙｍに供給される。よって、走査電極ラインＹ１〜Ｙｍの電圧はＶｓに急激に上がる。
【００２３】
一方、第２のキャパシタＣ２の負極性端子にＶｓの電圧が供給されるため、第２のキャパシタＣ２はＶｓ＋Ｖｓｅｔｕｐの電圧を第５のスィッチＱ５に供給する。第５のスィッチＱ５は、その前段に設けられている第１の可変抵抗ＶＲ１（具体的には、ゲート端子に接続された可変抵抗ＶＲ１）によってチャンネル幅が変わるに伴い、第２のキャパシタＣ２から供給される電圧を所定の勾配で第１のノード点Ｎ１に供給する。所定の勾配で第１のノード点Ｎ１に印加される電圧は、第７のスィッチＱ７及びドライブ集積回路５２を経由して、走査電極ラインＹ１〜Ｙｍに供給される。このとき、走査電極ラインＹ１〜Ｙｍに立上りランプパルスＲａｍｐ−ｕｐが供給される。
【００２４】
このとき、セットアップ電圧源Ｖｓｅｔｕｐの大きさは、維持電圧Ｖｓまたは走査基準電圧源の大きさＶｓcあるいは書き込み走査電圧源の大きさＶｙの和（Ｖｓc＋Ｖｙ）よりも大きい。したがって、立上りランプパルスＲａｍｐ−ｕｐの最高電圧は、維持電圧Ｖｓの２倍よりも大きいため、暗放電の輝度が上がってコントラスト比(contrast ratio)が低下するという問題点が発生する。
【００２５】
立上りランプパルスＲａｍｐ−ｕｐが走査電極ラインＹ１〜Ｙｍに供給された後、第５のスィッチＱ５はターンオフされる。第５のスィッチＱ５がターンオフされると、エネルギー回収回路４０から供給されるＶｓの電圧のみが第１のノード点Ｎ１に印加され、これにより走査電極ラインＹ１〜Ｙｍの電圧はＶｓに急激に下がる。
【００２６】
その後、セットダウン期間ＳＤに第７のスィッチＱ７がターンオフされると共に、第１の０スィッチＱ１０がターンオンされる。第１の０スィッチＱ１０は、その前段に設けられている第２の可変抵抗ＶＲ２（具体的には、ゲート端子に接続されたＶＲ２）によってチャンネル幅が変わるに伴い、第２のノードＮ２の電圧を所定の勾配で書き込み走査電圧−Ｖｙに下げる。このとき、走査電極ラインＹ１〜Ｙｍに立下りランプパルスＲａｍｐ−ｄｏｗｎが供給される。
【００２７】
セットアップ供給部４２及びセットダウン供給部４７は、かかる過程を繰り返しながらリセット期間中に立上りランプパルスＲａｍｐ−ｕｐ及び立下りランプパルスＲａｍｐ−ｄｏｗｎを走査電極ラインＹ１〜Ｙｍに供給する。
【００２８】
しかし、このような従来の駆動装置では、第１のノードＮ１及び第２のノードＮ２にそれぞれ印加される電圧の電圧差が大きいために高い耐圧を有する第７のスィッチＱ７を用いることから、製造コストアップという問題が発生する。
【００２９】
ここで、第７のスィッチＱ７は、第６のスィッチＱ６とは異なる方向の内部ダイオードを備えることから、第２のノードＮ２に印加される電圧が第６のスィッチＱ６の内部ダイオード及び第４のスィッチＱ４の内部ダイオードを経由して基底電位ＧＮＤに供給されることを防止する。一方、セットダウン期間中に第１のノードＮ１にはＶｓの電圧が印加され、第２のノードＮ２には書き込み走査電圧−Ｖｙが印加される。ここで、Ｖｓの電圧が略１８０Ｖに設定され、書き込み走査電圧−Ｖｙが−７０Ｖに設定されると、第７のスィッチＱ７は約２５０Ｖ（実際の駆動電圧マージンを考慮して３００Ｖ）の耐圧を有する必要がある。すなわち、従来では、第７のスィッチＱ７として高い耐圧を有するスイッチ素子を設ける必要があるため、製造コストが上がるという問題がある。
【００３０】
さらに、第６のスィッチＱ６及び第７のスィッチＱ７は、リセット電圧及び維持電圧が通過してセットアップ波形を印加するリセット電圧以上の高耐圧スィッチである必要があるため、コストアップはもとより、熱発生及びエネルギー損失が大きいという問題が発生する。
【発明の開示】
【発明が解決しようとする課題】
【００３１】
本発明は、上記の問題点に鑑みてなされたものであり、その目的は、高コストのスイッチ素子を減らして製造コストを低減することができるプラズマディスプレイ装置を提供することにある。
【課題を解決するための手段】
【００３２】
上記の課題を解決するために、本発明によるプラズマディスプレイ装置は、走査電極を含むプラズマディスプレイパネルと、リセット期間中に前記走査電極に立上りパルスを印加するセットアップ駆動部と、前記走査電極に前記立上りパルスが印加される前に第１の立下りランプパルスを印加し、前記走査電極に前記立上りパルスが印加された後に、第２の立下りランプパルスを印加するセットダウン駆動部と、前記リセット期間後のアドレス期間中に前記走査電極に前記立上りパルスの電圧と実質的に同じ電圧を有する走査パルスを印加する走査パルス駆動部と、を備える。
【００３３】
前記第１の立下りランプパルスが始まる基準電圧と第２の立下りランプパルスが始まる基準電圧は、実質的に同じであることを特徴とする。
【００３４】
前記第１の立下りランプパルスが始まる基準電圧は、維持期間中に前記走査電極に印加される維持パルスの最高電圧と実質的に同じであることを特徴とする。
【００３５】
前記第１の立下りランプパルスと第２の立下りランプパルスの勾配は、実質的に同じであることを特徴とする。
【００３６】
前記立上りパルスは、維持期間中に前記走査電極に印加される維持パルスの最高電圧と略同一の電圧から電圧値が次第に立ち上がることを特徴とする。
【００３７】
前記第２の立下りランプパルスは、維持期間中に前記走査電極に印加される維持パルスの最高電圧と略同一の電圧から電圧値が次第に立ち立ち下がることを特徴とする。
【００３８】
前記立上りパルスの最高電圧値と最低電圧値との電圧差は、前記走査パルスの電圧振幅値以下であることを特徴とする。
【００３９】
前記立上りパルスの最高電圧値と最低電圧値との電圧差は、１００Ｖ以下であることを特徴とする。
【００４０】
前記第２の立下りランプパルスの最低電圧値は、前記走査パルスの最低電圧値と実質的に同じであることを特徴とする。
【００４１】
本発明による他のプラズマディスプレイ装置は、走査電極を含むプラズマディスプレイパネルと、リセット期間中に前記走査電極に基準電圧源から供給される電圧と関連して立上りパルスを印加するセットアップ駆動部と、前記リセット期間後のアドレス期間中に前記走査電極に前記基準電圧源から供給される電圧と関連して走査パルスを印加する走査パルス駆動部と、を含む。
【００４２】
前記立上りパルスは、維持期間中に前記走査電極に印加される維持パルスの最高電圧値と略同一の電圧から勾配をもって立ち上がることを特徴とする。
【００４３】
前記立上りパルスの最高電圧値と最低電圧値との電圧差は、１００Ｖ以下であることを特徴とする。
【００４４】
前記走査電極は、前記立上りパルスが印加される前に第１の立下りランプパルスが印加され、前記立上りパルスが印加された後に、前記走査電極に第２の立下りランプパルスが印加されることを特徴とする。
【００４５】
前記第１の立下りランプパルスと第２の立下りランプパルスの勾配は、実質的に同じであることを特徴とする。
【００４６】
前記第１の立下りランプパルスが始まる基準電圧は、維持期間中に前記走査電極に印加される維持パルスの電圧と実質的に同じであることを特徴とする
【００４７】
前記第１の立下りランプパルスが始まる基準電圧と第２の立下りランプパルスが始まる基準電圧とは、実質的に同じであることを特徴とする。
【００４８】
前記第２の立下りランプパルスの最低の電圧値は、アドレス期間中に前記走査電極に印加される走査パルスの最低電圧値と実質的に同じであることを特徴とする。
【００４９】
本発明によるまた他のプラズマディスプレイ装置は、維持パルス基準電圧ノードと、前記維持パルス基準電圧ノードと接続されたエネルギー回収回路と、前記エネルギー回収回路の出力端に一端が接続されたブロッキングスイッチと、走査パルス及びセットアップパルス基準電圧ノードと、前記走査パルス及びセットアップパルス基準電圧ノードと前記ブロッキングスイッチの他端との間に接続されたセットアップキャパシタと、前記走査パルス及びセットアップパルス基準電圧ノードと前記ブロッキングスイッチの前記他端との間に直列接続された第１のＱ８及び第２のＱ９セットアップスイッチと、を含む。
【発明の効果】
【００５０】
本発明は、製造コストを低減することはもとより、プラズマディスプレイパネル駆動時のコントラスト特性を向上させることができる。
【発明を実施するための最良の形態】
【００５１】
以下、本発明によるプラズマディスプレイ装置及びその駆動方法を添付図を参照して説明する。
【００５２】
図５は、本発明によるプラズマディスプレイパネルの駆動方法による駆動波形図である。
【００５３】
図５に示すように、本発明の駆動方法は、１サブフィールドをプリリセット期間、リセット期間、アドレス期間、及び維持期間に分けて駆動する。
【００５４】
先ず、プリリセット期間では、全走査電極ラインに第１の電圧から所定の電圧まで第１の勾配で下がる第１の立下りランプパルスＲａｍｐ−ｄｏｗｎ１が供給される。このとき、第１の電圧は第１の立下りランプパルスが始まる基準電圧であって、維持期間中に走査電極または維持電極に印加される維持パルスの電圧Ｖｓである。第１の立下りランプパルスが始まる基準電圧は、維持期間中に走査電極に印加される維持パルスの最高電圧と実質的に同一とすることが可能である。
【００５５】
プリリセット期間中に走査電極に供給される第１の立下りランプパルスＲａｍｐ−ｄｏｗｎ１は、プリリセット期間以前にプラズマディスプレイパネルのセルに不均一に蓄積されている壁電荷の一部を消去して壁電荷を均一にする。
【００５６】
リセット期間では、全走査電極ラインに所定の電圧から維持パルスの電圧Ｖｓまで急激に上がってから、第２の電圧まで第２の勾配で上がる立上りパルスＲａｍｐ−ｕｐが供給され、その後、第１の電圧まで急激に下がってから、第３の勾配で下がる第２の立下りランプパルスＲａｍｐ−ｄｏｗｎ２が供給される。
このとき、立上りパルスの最高電圧値と最低電圧値との電圧差Ｖｓｅｔ−ｕｐは、アドレス期間中に走査電極に印加される走査パルスの電圧振幅値（Ｖｓｃ＋Ｖｙ）以下である。走査パルスの電圧振幅値は、走査パルスの基準電圧値Ｖｓｃと最低電圧値−Ｖｙとの差の電圧である。好ましくは、立上りパルスの最高電圧値と最低電圧値との電圧差は、１００Ｖ以下である。
また、第２の立下りランプパルスの第３勾配は第１の勾配と同一か又は異なることができる。即ち、第１の立下りランプパルスと第２の立下りランプパルスの勾配は、実質的に同一に設定することが可能であるし、両者が異なるように設定することが可能である。
【００５７】
リセット期間中に全走査電極ラインに印加される立上りパルスＲａｍｐ−ｕｐは、プラズマディスプレイパネルの全画面に形成されているセル内で暗放電を生じさせる。このとき、アドレス電極と維持電極上に正の壁電荷が形成され、走査電極上に負の壁電荷が形成される。その後、第２の立下りランプパルスＲａｍｐ−ｄｏｗｎ２が供給されてセル内に形成された余剰壁電荷の一部を消去する。
【００５８】
このとき、立上りパルスＲａｍｐ−ｕｐの最高電圧は、従来の駆動方法による立上りパルスの最高電圧よりも小さいため、暗放電による輝度が低下し、これによりコントラスト特性が向上する。
【００５９】
アドレス期間では、走査パルスＳｃａｎが走査電極ラインに順次に印加されると共に、前記走査パルスｓｃａｎと同期して、アドレス電極にデータパルス（図示せず）が印加されてターンオンされるセルが選択される。このとき、走査パルスの最低電圧は、第２の立下りランプパルスの最低電圧と実質的に同じである。
【００６０】
維持期間では、維持パルスｓｕｓが走査電極と維持電極とに交互に印加されて維持放電が発生する。
上記において、第１の立下りランプパルスＲａｍｐ−ｄｏｗｎ１が始まる基準電圧と第２の立下りランプパルスＲａｍｐ−ｄｏｗｎ２が始まる基準電圧とは、実質的に同一とすることが可能である。本実施形態では、第１の立下りランプパルスが始まる基準電圧と第２の立下りランプパルスが始まる基準電圧とは、維持電圧Ｖｓに設定した。
【００６１】
図６は、本発明によるプラズマディスプレイ装置を概略的に示す図である。
【００６２】
図６に示すように、本発明のプラズマ表示装置は、画面が表示されるプラズマディスプレイパネル１００と、プラズマディスプレイパネル１００に形成されたアドレス電極Ｘ１〜Ｘｍにデータを供給するためのデータ駆動部１２２と、走査電極Ｙ１〜Ｙｎを駆動するための走査駆動部１２３と、共通電極である維持電極Ｚを駆動するための維持駆動部１２４と、プラズマディスプレイパネル１００の駆動時にデータ駆動部１２２、走査駆動部１２３、維持駆動部１２４を制御するためのタイミング制御部１２１と、それぞれの駆動部１２２、１２３、１２４に必要な駆動電圧を供給するための駆動電圧発生部１２５と、を備える。
【００６３】
プラズマディスプレイパネル１００は、前面パネル（図示せず）と背面パネル（図示せず）が所定の間隔をあけて結合されてなる。前面パネルには、多数の電極、例えば走査電極Ｙ１〜Ｙｎ及び維持電極Ｚが対をなして形成され、背面パネルには走査電極Ｙ１〜Ｙｎ及び維持電極Ｘと交差するアドレス電極Ｘ１〜Ｘｍが形成される。
【００６４】
データ駆動部１２２には、図示しない逆γ補正回路、誤差拡散回路などにより逆γ補正及び誤差拡散された後、サブフィールドマッピング回路により各サブフィールドにマッピングされたデータが供給される。このようなデータ駆動部１２２は、タイミング制御部１２１からのタイミング制御信号ＣＴＲＸに応答してデータをサンプリングしてラッチした後、そのデータをアドレス電極Ｘ１〜Ｘｍに供給する。
【００６５】
走査駆動部１２３は、タイミング制御部１２１の制御下で、プリリセット期間中に第１の立下りランプ波形Ｒａｍｐ−ｄｏｗｎ１を走査電極Ｙ１〜Ｙｎに供給し、リセット期間中に立上り波形Ｒａｍｐ−ｕｐと第２の立下りランプ波形Ｒａｍｐ−ｄｏｗｎ２を走査電極Ｙ１〜Ｙｎに供給する。また、走査駆動部１２３は、タイミング制御部１２１の制御下でアドレス期間中に走査電圧−Ｖｙの走査パルスＳｐを走査電極Ｙ１〜Ｙｎに順次に供給し、維持区間中には維持パルスｓｕｓを走査電極Ｙ１〜Ｙｎに供給する。
【００６６】
維持駆動部１２４は、タイミング制御部１２１の制御下で、プリリセット期間からアドレス期間にかけて維持電圧Ｖｓのバイアス電圧を維持電極Ｚに供給し、維持期間中に走査駆動部１２３と交互に動作して維持パルスｓｕｓを維持電極Ｚに供給する。
【００６７】
タイミング制御部１２１は、垂直／水平同期信号とクロック信号を入力され、リセット期間、アドレス期間、維持期間において、各駆動部１２２、１２３、１２４の動作タイミングと同期化を制御するためのタイミング制御信号ＣＴＲＸ、ＣＴＲＹ、ＣＴＲＺを発生させる。タイミング制御部１２１は、タイミング制御信号ＣＴＲＸ、ＣＴＲＹ、ＣＴＲＺを該当駆動部１２２、１２３、１２４に供給することにより、各駆動部１２２、１２３、１２４を制御する。
【００６８】
一方、データ制御信号ＣＴＲＸには、データをサンプリングするためのサンプリングクロック、ラッチ制御信号、及びエネルギー回収回路と駆動スィッチ素子のＯＮ／ＯＦＦタイムを制御するためのスィッチ制御信号が含まれる。走査制御信号ＣＴＲＹには、走査駆動部１２３内のエネルギー回収回路と駆動スィッチ素子のＯＮ／ＯＦＦタイムを制御するためのスィッチ制御信号が含まれる。維持制御信号ＣＴＲＺには、維持駆動部１２４内のエネルギー回収回路と駆動スィッチ素子のＯＮ／ＯＦＦタイムを制御するためのスィッチ制御信号が含まれる。
【００６９】
駆動電圧発生部１２５は、セットアップ電圧Ｖｓｅｔｕｐ、走査共通電圧ＶＳｃａｎ−ｃｏｍ、走査電圧−Ｖｙ、維持電圧Ｖｓ、データ電圧Ｖｄなどを発生する。このような駆動電圧は、放電ガスの組成や放電セルの構造によって変わることができる。
【００７０】
図７は、本発明によるプラズマディスプレイ装置の走査駆動部をより詳しく説明するための図である。
【００７１】
図７を参照すると、本発明によるプラズマ表示装置の走査駆動部は、エネルギー回収回路４００と、ドライブ集積回路５２０と、セットアップ供給部４２０と、セットダウン供給部４７０と、負極性走査電圧供給部４６０と、走査基準電圧供給部５００と、ブロッキング(blocking)スィッチ(Qblock)と、を備える。
【００７２】
ドライブ集積回路５２０は、プッシュプル(push-pull)型に走査電極Ｙに接続されており、エネルギー回収回路４００、セットアップ供給部４２０、セットダウン供給部４７０、負極性走査電圧供給部４６０及び走査基準電圧供給部５００から電圧信号が入力される第１２及び第１３のスィッチＱ１２、Ｑ１３で構成される。第１２のスイッチＱ１２及び第１３のスィッチの間の出力ラインは走査電極ラインのいずれかに接続される。
【００７３】
エネルギー回収回路４００は、維持基準電圧ノードＮｓｕｓに接続されており、走査電極ラインＹ１〜Ｙｍから回収されるエネルギーを充電するための外部キャパシタＣ１と、外部キャパシタＣ１とドライブ集積回路５２０との間に接続されるインダクタＬ１と、インダクタＬ１と外部キャパシタＣ１との間に並列接続される第１のスィッチＱ１、第１のダイオードＤ１、第２ダイオードＤ２及び第２のスィッチＱ２と、を備える。エネルギー回収回路４００は、更に、維持電圧Ｖｓを供給する維持電圧源Ｖｓと維持基準電圧ノードＮｓｕｓとの間に接続された第３スイッチＱ３と、接地電位ＧＮＤを供給する接地電圧源ＧＮＤと維持基準電圧ノードＮｓｕｓとの間に接続された第４スイッチＱ４と、を備えている。
【００７４】
エネルギー回収回路４００の動作過程を説明すると、次のとおりである。先ず、外部キャパシタＣ１にはＶｓ／２電圧が充電されていると仮定する。第１のスィッチＱ１がターンオンされると、外部キャパシタＣ１に充電されている電圧は、第１のスィッチＱ１、第１のダイオードＤ１、インダクタＬ、ブロッキングスィッチＱｂｌｏｃｋの内部ダイオードを経て、ドライブ集積回路５２０に供給される。
【００７５】
ドライブ集積回路５２０は、供給された電圧を走査電極ラインＹ１〜Ｙｍに供給する。。このとき、インダクタＬ１は、プラズマディスプレイパネル放電セルの静電容量Ｃと共に直列ＬＣ共振回路を構成することから、走査電極ラインＹ１〜ＹｍにはＶｓの電圧が供給される。
【００７６】
その後、第３のスィッチＱ３がターンオンされる。第３のスィッチＱ３がターンオンされると、維持電圧ＶｓがブロッキングスィッチＱｂｌｏｃｋの内部ダイオードを経由してドライブ集積回路５２０に供給される。ドライブ集積回路５２０は、供給された維持電圧Ｖｓを走査電極ラインＹ１〜Ｙｍに供給する。維持電圧Ｖｓによって走査電極ラインＹ１〜Ｙｍ上の電圧レベルは維持電圧Ｖｓを維持し、これにより放電セルにおいて維持放電が起こるようになる。
【００７７】
放電セルで維持放電が起こってから第２のスィッチＱ２がターンオンされる。第２のスィッチＱ２がターンオンされると、無効電力が走査電極ラインＹ１〜Ｙｍ、ドライブ集積回路５２０、ブロッキングスィッチＱｂｌｏｃｋの内部ダイオード、インダクタＬ１、第２のダイオードＤ２及び第２のスィッチＱ２を経て、外部キャパシタＣ１に回収される。すなわち、プラズマディスプレイパネルからのエネルギーが外部キャパシタＣ１に回収される。次いで、第４のスィッチＱ４がターンオンされて、走査電極ラインＹ１〜Ｙｍ上の電圧として基底電位ＧＮＤを保持する。
【００７８】
かくして、エネルギー回収回路４００は、プラズマディスプレイパネルからエネルギーを回収した後、回収されたエネルギーを用いて走査電極ラインＹ１〜Ｙｍ上に電圧を供給することにより、セットアップ期間と維持期間における放電時に発生する過剰電力消費を減らす。
【００７９】
負極性走査電圧供給部４６０は、第２のノードＮ２と書き込み走査電圧源−Ｖｙとの間に接続された第１１のスィッチＱ１１を備える。第１１のスィッチＱ１１は、アドレス期間中に図示しないタイミング制御部から供給される制御信号に応答して切り替えられることにより、書き込み走査電圧−Ｖｙをドライブ集積回路５２０に供給する。
【００８０】
走査基準電圧供給部５００は、基準電圧源Ｖｓcと第２のノードＮ２の間に接続される第８のスィッチＱ８及び第９のスィッチＱ９を備える。より詳細には、第８のスィッチＱ８及び第９のスィッチＱ９は、ダイオードＤ２のカソードとノードＮ２との間に接続されている。第８のスィッチＱ８及び第９のスィッチＱ９は、タイミング制御部１２１から供給される制御信号によって切り替えられることにより、基準電圧源Ｖｓcの電圧をドライブ集積回路５２０に供給する。
【００８１】
本発明では、アドレス期間に走査電極に走査パルスを供給させる負極性走査電圧供給部４６０及び走査基準電圧供給部５００を走査パルス駆動部と称する。
【００８２】
セットダウン供給部４７０は、エネルギー回収回路４００から供給された維持電圧Ｖｓから所定の勾配をもって下がる第１の立下りランプパルスＲａｍｐ−ｄｏｗＮ１と、セットアップ供給部４２０から立上りパルスＲａｍｐ−ｕｐが供給されてから維持電圧Ｖｓから所定の勾配をもって下がる第２の立下りランプパルスＲａｍｐ−ｄｏｗｎ２とを、ドライブ集積回路５２０を介して走査電極に印加する。
【００８３】
すなわち、セットダウン供給部４７０は、第１のノードＮ１と書き込み走査電圧−Ｖｙとの間に接続される第１のスィッチＱ１０を備える。セットダウン供給部４７０は、リセット期間に含まれるセットダウン期間中において、ドライブ集積回路５２０に供給される電圧を所定の勾配をもって書き込み走査電圧−Ｖｙまで徐々に下げる。
【００８４】
セットアップ供給部４２０は、走査パルス及びセットアップパルス基準電圧ノードＮｓｃａｎとブロッキングスィッチＱｂｌｏｃｋの他端との間に接続されるセットアップキャパシタＣｓｅｔｕｐを含み、エネルギー回収回路４００から供給された維持電圧Ｖｓとセットアップ電圧源Ｖｓｅｔｕｐの電圧値の和を供給することで、維持電圧Ｖｓから所定の勾配で立ち上がる立上りパルスＲａｍｐ−ｕｐをドライブ集積回路５２０を介して走査電極に印加する。
【００８５】
ブロッキングスィッチＱｂｌｏｃｋは、エネルギー回収回路４００の出力端に接続されており、負極性走査電圧供給部４６０が書き込み走査電圧−Ｖｙを印加するときに、エネルギー回収回路４００とセットダウン供給部４７０との間を遮断する。
【００８６】
このような本発明によるプラズマ表示装置の走査駆動部１２３では、セットアップ供給部４２０と走査基準電圧供給部５００が実質的に同じ電圧源（Ｖｓｅｔｕｐ＝Ｖｓc）を共有することもでき、セットアップ供給部４２０の電圧源Ｖｓｅｔｕｐを走査基準電圧供給部５００の電圧源Ｖｓcよりも大きくすることもできる。
【００８７】
セットアップ用キャパシタＣｓｅｔｕｐは、エネルギー回収回路４００から供給された維持電圧ＶｓをブロッキングスィッチＱｂｌｏｃｋを介して供給され、維持電圧Ｖｓとセットアップ電圧源Ｖｓｅｔｕｐの電圧の和（Ｖｓ＋Ｖｓｅｔｕｐ）をドライブ集積回路５２０を介して走査電極Ｙ（Ｙ１〜Ｙｎ）に供給する。セットアップ用キャパシタＣｓｅｔｕｐの一端はセットアップ電圧源Ｖｓｅｔｕｐと接続され、セットアップ用キャパシタＣｓｅｔｕｐの他端はドライブ集積回路５２０の他端に接続される。
【００８８】
セットアップ用スィッチＱｓｅｔｕｐはターンオンし、セットアップ用キャパシタＣｓｅｔｕｐに印加された維持電圧Ｖｓから所定の勾配でセットアップ電圧源Ｖｓｅｔｕｐの電圧まで上がる立上りパルスＲａｍｐ−ｕｐをドライブ集積回路５２０を介して走査電極Ｙに供給する。セットアップ用スィッチＱｓｅｔｕｐの一端は、セットアップ用キャパシタＣｓｅｔｕｐとセットアップ電圧源Ｖｓｅｔｕｐの共通端に接続され、セットアップ用スィッチＱｓｅｔｕｐの他端はドライブ集積回路５２０の一端に接続される。
【００８９】
このように本発明の走査駆動部に含まれたセットアップ供給部４２０は、従来のプラズマディスプレイ装置の走査駆動部に含まれた第６のスィッチＱ６と第７のスィッチＱ７を介して走査電極に立上りパルスＲａｍｐ−ｕｐを印加するのと異なり、直接にドライブ集積回路５２０に立上りパルスＲａｍｐ−ｕｐを印加する。
【００９０】
セットアップ供給部４２０と走査基準電圧供給部５００が１つの電源（Ｖｓｅｔｕｐ=Ｖｓc）を共有することができるので、立上りパルスＲａｍｐ−ｕｐの最高電圧が、従来のセットアップ供給部４２が供給する立上りパルスの最高電圧に比べて小さい。
【００９１】
よって、立上りパルスＲａｍｐ−ｕｐを低耐圧のドライブ集積回路５２０の第１２のスィッチＱ１２と第１３のスィッチＱ１３を介して走査電極Ｙに印加することができる。
【００９２】
これにより、従来の走査駆動部においてセットアップ波形を印加するために用いられる高耐圧スィッチである第６のスィッチＱ６が不要になり、その結果、回路の構成が簡単化でき、製造コストダウンが可能である。
【００９３】
次に、このような本発明のプラズマ表示装置に含まれた走査駆動部１２３の動作を説明する。
【００９４】
先ず、エネルギー回収回路４００の第３のスィッチＱ３、ブロッキングスィッチＱｂｌｏｃｋ及びドライブ集積回路５２０の第１３のスィッチＱ１３のターンオンにより、維持電圧Ｖｓが走査電極Ｙに印加される。その後、ブロッキングスィッチＱｂｌｏｃｋがターンオフし、セットダウン供給部４７０の第１０のスィッチＱ１０がターンオンすることにより、第１の立下りランプパルスＲａｍｐ−ｄｏｗＮ１が走査電極Ｙに印加される。このとき、ブロッキングスィッチＱｂｌｏｃｋは、エネルギー回収回路４００とセットダウン供給部４７０との間を遮断する。
【００９５】
その後、セットダウン供給部４７０の第１０のスィッチＱ１０がターンオフし、エネルギー回収回路４００の第３のスィッチＱ３、ブロッキングスィッチＱｂｌｏｃｋ及びドライブ集積回路５２０の第１３のスィッチＱ１３がターンオンすることにより、維持電圧Ｖｓが走査電極Ｙに印加される。次いで、セットアップ供給部４２０のセットアップ用スィッチＱｓｅｔｕｐとドライブ集積回路５２０の第１２のスィッチＱ１２がターンオンすると、維持電圧Ｖｓから所定の勾配で上がる立上りパルスＲａｍｐ−ｕｐが走査電極Ｙに印加される。
【００９６】
その後、セットアップ供給部４２０のセットアップ用スィッチＱｓｅｔｕｐとドライブ集積回路５２０の第１２のスィッチＱ１２とがターンオフすると、走査電極Ｙの電位は維持電圧Ｖｓに急激に下がる。次いで、セットダウン供給部４７０の第１０のスィッチＱ１０とドライブ集積回路５２０の第１３のスィッチＱ１３とがターンオンすると、維持電圧Ｖｓから所定の勾配で下がる第２の立下りランプパルスＲａｍｐ−ｄｏｗｎ２が走査電極Ｙに印加される。
【００９７】
このように本発明によるプラズマディスプレー装置の走査駆動部を図７のように構成すると、スイッチ素子を減らして製造コストを低減できるほか、セットアップパルスの最高電圧値を低減できるのでコントラス特性も向上する。
【００９８】
〔他の実施形態〕
図８は、本発明によるプラズマディスプレー装置の他の構造を有する走査駆動部１２３を説明するための図であり、図９は、図８の走査駆動部１２３によってリセット期間中に動作するスイッチ素子の動作タイミング図である。
【００９９】
図８及び図９を参照すれば、本発明によるプラズマ表示装置の他の構造を有する走査駆動部１２３は、エネルギー回収回路４００、ダイオードＤ３、第５〜第１０のスィッチ素子Ｑ５ないしＱ１０、及び駆動スィッチ回路４１０を備える。走査駆動部１２３に含まれたスィッチ素子は、ボディダイオードが内蔵され、高圧切換えが可能な電界効果トランジスタＦＥＴである。
【０１００】
エネルギー回収回路４００は、ＰＤＰにおいて放電に寄与しない無効電力のエネルギーを走査電極Ｙから回収して、その回収したエネルギーを用いて走査電極Ｙを充電する。このエネルギー回収回路４００は、公知のいずれのエネルギー回収回路であっても良い。
【０１０１】
駆動スィッチ回路４１０は、第３のノードｎ３と第４のノードｎ４との間にプッシュプルの形で接続される第１１及び第１２のスィッチ素子Ｑ１１、Ｑ１２を含む。第１１の及び第１２のスィッチ素子Ｑ１１，Ｑ１２の間の出力端子は走査電極Ｙに接続される。
【０１０２】
第１１のスィッチ素子Ｑ１１のソース端子とボディダイオードのアノード端子とは、走査電極Ｙに接続され、第１１のスィッチ素子Ｑ１１のドレイン端子とボディダイオードのカソード端子とは、第４のノードｎ４に接続される。この第１１のスィッチ素子Ｑ１１は、維持電圧Ｖｓや走査バイアス電圧Ｖｓｃｂから走査電圧−Ｖｙに変わるとき、維持電圧Ｖｓから基底電圧ＧＮＤに変わるときのように、走査電極Ｙの電圧を基底電圧ＧＮＤまたは負極性走査電圧−Ｖｙまで低める必要がある場合、ボディダイオードを介して走査電極Ｙからの電圧を第４のノードｎ４に供給する。ここで、走査バイアス電圧Ｖｓｃｂは、走査基準電圧Ｖｓｃを意味する。
【０１０３】
第１２のスィッチ素子Ｑ１２のソース端子とボディダイオードのアノード端子とは、第３のノードｎ３に接続され、第１２のスィッチ素子Ｑ１１のドレイン端子とボディダイオードのカソード端子とは、走査電極Ｙに接続される。この第１２のスィッチ素子Ｑ１２は、走査電極Ｙの電圧が基底電圧ＧＮＤから維持電圧Ｖｓに変わるとき、維持電圧Ｖｓからセットアップ電圧Ｖｓｅｔｕｐに変わるとき、走査電圧−Ｖｙから走査バイアス電圧Ｖｓｃｂに変わるときのように、走査電極Ｙの電圧を高める必要がある場合、ボディダイオードを介して第３のノードｎ３からの電圧を走査電極Ｙに供給する。
【０１０４】
第３のスィッチ素子Ｑ３のソース端子とボディダイオードのアノード端子とは、第１のノードｎ１に接続され、第３のスィッチ素子Ｑ３のドレイン端子とボディダイオードのカソード端子とは、維持電圧源Ｖｓに接続される。この第３のスィッチ素子Ｑ３は、走査電極Ｙの電圧を維持電圧Ｖｓに保持する必要があるとき、自身のゲート端子に入力される制御信号に応答してターンオンされて維持電圧Ｖｓを第１のノードｎ１に供給する。
【０１０５】
第４のスィッチ素子Ｑ４のソース端子とボディダイオードのアノード端子とは、基底電圧源ＧＮＤに接続され、第４スィッチ素子Ｑ４のドレイン端子とボディダイオードのカソード端子とは、第１のノードｎ１に接続される。この第４のスィッチ素子Ｑ４は、セットアップ期間ＳＵ、アドレス期間ＡＤ、維持期間ＳＰ中に走査電極Ｙの電圧を基底電圧ＧＮＤまたは０Ｖに維持する必要があるとき、自身のゲート端子に入力される制御信号に応答してターンオンされて基底電圧ＧＮＤを第１のノードｎ１に供給する。
【０１０６】
第５のスィッチ素子Ｑ５のソース端子とボディダイオードのアノード端子とは、第２のノードｎ２に接続され、第５のスィッチ素子Ｑ５のドレイン端子とボディダイオードのカソード端子とは、第１のノードｎ１に接続される。この第５のスィッチ素子Ｑ５は、セットアップ期間ＳＵ中に走査電極Ｙの電圧をセットアップ電圧Ｖｓｅｔｕｐまで上げるときや、維持期間ＳＰ中に走査電極Ｙの電圧を維持電圧Ｖｓに保持する必要があるとき、自身のゲート端子に入力される制御信号に応答してターンオンされて、第１のノードｎ１の電圧を第２のノードｎ２に供給する。そして、第５のスィッチ素子Ｑ５は、走査電極Ｙの電圧が維持電圧Ｖｓから基底電圧ＧＮＤまたは０Ｖに下がるとき、オフ状態でボディダイオードを介して第２のノードｎ２の電圧を第１のノードｎ１を経て第４のスィッチ素子Ｑ４に供給する。
【０１０７】
第６のスィッチ素子Ｑ６のゲート端子とソース端子との間には、可変抵抗とキャパシタ（図示せず）とが接続される。また、第６のスィッチ素子Ｑ６のソース端子とボディダイオードのアノード端子とは、第３のノードｎ３に接続され、第６のスィッチ素子Ｑ６のドレイン端子とボディダイオードのカソード端子とは、セットアップ電圧源Ｖｓｅｔｕｐに接続される。この第６のスィッチ素子Ｑ６は、セットアップ期間ＳＵ中に正のランプ波形ＰＲによって走査電極Ｙの電圧をセットアップ電圧Ｖｓｅｔｕｐまで上げるとき、自身のゲート端子に入力される制御信号に応答してターンオンされてセットアップ電圧Ｖｓｅｔｕｐを第３のノードｎ３に供給する。
【０１０８】
第７のスィッチ素子Ｑ７のゲート端子とソース端子との間には、可変抵抗とキャパシタ（図示せず）とが接続される。また、第７のスィッチ素子Ｑ７のソース端子とボディダイオードのアノード端子とは、負極性走査電圧源−Ｖｙに接続され、第７のスィッチ素子Ｑ７のドレイン端子とボディダイオードのカソード端子とは、第３のノードｎ３に接続される。この第７のスィッチ素子Ｑ７は、セットダウン期間ＳＤ中に負のランプ波形ＮＲによって走査電極Ｙの電圧を負極性走査電圧−Ｖｙまで下げるとき、自身のゲート端子に入力される制御信号に応答してターンオンされて第３のノードｎ３の電圧を負極性走査電圧−Ｖｙまで低める。
【０１０９】
第８のスィッチ素子Ｑ８のソース端子とボディダイオードのアノード端子とは、負極性走査電圧源−Ｖｙに接続され、第８のスィッチ素子Ｑ８のドレイン端子とボディダイオードのカソード端子とは、第３のノードｎ３に接続される。この第８のスィッチ素子Ｑ８は、アドレス期間ＡＤ中に走査パルス−ＳＣＮＰによって走査電極Ｙの電圧を負極性走査電圧−Ｖｙまで下げるとき、自身のゲート端子に入力される制御信号に応答してターンオンされて第３のノードｎ３の電圧を負極性走査低圧−Ｖｙまで低める。
【０１１０】
第９のスィッチ素子Ｑ９のソース端子とボディダイオードのアノード端子とは、第２のノードｎ２に接続され、第９のスィッチ素子Ｑ９のドレイン端子とボディダイオードのカソード端子とは、第４のノードｎ４に接続される。この第９のスィッチ素子Ｑ９は、自身のゲート端子に入力される制御信号に応答して、セットアップ期間ＳＵ中にオフ状態を保持して第２のノードｎ２と第４のノードｎ４との間の電流パスを遮断する一方、走査電極Ｙの電圧を基底電圧ＧＮＤまたは負極性走査電圧−Ｖｙまで低める必要があるとき、ターンオンされて第４のノードｎ４の電圧を第２のノードｎ２に供給する。
【０１１１】
第１０のスィッチ素子Ｑ１０のソース端子とボディダイオードのアノード端子とは、第４のノードｎ４に接続され、第１０のスィッチ素子Ｑ１０のドレイン端子とボディダイオードのカソード端子とは、走査バイアス電圧源Ｖｓｃｂに接続される。この第１０のスィッチ素子Ｑ１０は、自身のゲート端子に入力される制御信号に応答してアドレス期間ＡＰの走査タイム中にターンオンされて、走査バイアス電圧Ｖｓｃｂを第４のノードｎ４に供給する。
【０１１２】
第３ダイオードＤ３は、第２のノードｎ２の電圧が自身のしきい値電圧だけ第３のノードｎ３の電圧よりも高いとき、第２のノードｎ２の電圧を第３のノードｎ３に供給する一方、第３のノードｎ３から第２のノードｎ２に流れる逆方向電流の電流パスを遮断する。
【０１１３】
図８に示した走査駆動部１２３を既存の走査駆動部と比較すると、本発明による走査駆動回路１２３は、既存の走査駆動部に比べて１つのスィッチ素子が少ない。
【０１１４】
本実施形態によれば、スイッチ素子を減らして製造コストを低減できる他、セットアップパルスの最高電圧値を低減できるのでコントラストも向上する。
【０１１５】
このように本発明による走査駆動部は、電流パス上に存在するスィッチ素子の数、特に、ダイオードに比べて切換えロスの多い電界効果トランジスタの数が大幅に減る。このために、本発明による走査駆動部１２３は消費電量と発熱量が少なくなる。例えば、図８において、走査電極Ｙの電圧を維持電圧Ｖｓに保持するための維持−アップの電流パス８４には、第３のスィッチ素子Ｑ３、第５のスィッチ素子Ｑ５、ダイオードＤ１、及び第１２のスィッチ素子Ｑ１２のボディダイオードが存在する。図８において、走査電極Ｙの電圧を基底電圧ＧＮＤまたは０Ｖに保持するための維持−ダウンの電流パス８３には、第１１のスィッチ素子Ｑ１１のボディダイオード、第９のスィッチ素子Ｑ９、第５のスィッチ素子Ｑ５、及び第４のスィッチ素子Ｑ４が存在する。よって、図３の既存の走査駆動部に比べて、本発明による走査駆動部は、維持−アップの電流パス８４と維持−ダウンの電流パス８３とのそれぞれに存在する電界効果トランジスタの数が減少する。
【図面の簡単な説明】
【０１１６】
【図１】一般的なプラズマディスプレイパネルの構造を示す図。
【図２】従来のプラズマディスプレイパネルの画像階調を具現する方法を示す図。
【図３】従来のプラズマディスプレイパネルを駆動するための走査駆動装置を概略的に示す図。
【図４】図３の従来のプラズマディスプレイパネルの走査駆動装置の駆動方法を説明するための駆動波形を示す図。
【図５】本発明によるプラズマディスプレイパネルの駆動方法による駆動波形図。
【図６】本発明によるプラズマディスプレイ装置を概略的に示す図。
【図７】本発明によるプラズマディスプレイ装置の走査駆動部を詳細に説明するための図。
【図８】本発明によるプラズマディスプレー装置の他の構造を有する走査駆動部を説明するための図。
【図９】図８の走査駆動部によってリセット期間中に動作するスィッチ素子の動作タイミング図。
【図１】
2006227625.tif 000003
【図２】
2006227625.tif 000004
【図３】
2006227625.tif 000005
【図４】
2006227625.tif 000006
【図５】
2006227625.tif 000007
【図６】
2006227625.tif 000008
【図７】
2006227625.tif 000009
【図８】
2006227625.tif 000010
【図９】
2006227625.tif 000011